(57)【要約】【課題】複数の系統のストリームの機器内部における伝送に係る信号線の増加を抑制する。【解決手段】集積回路は、ストリーム生成部と送信部とを備える。ストリーム生成部は、装置間で動画データを送受信するために予め定められたデータ構造に従って動画期間およびブランキング期間を１フレームのデータ構造ごとに含むビデオストリームと動画データに関連する関連データを含む関連データストリームとに基づいて、関連データを格納するための所定のサイズの追加ブランキング期間をビデオストリームの１フレームごとに追加したデータ構造の多重化ストリームを生成する。送信部は、生成された多重化ストリームを他の集積回路へ送信する。【選択図】図１
2013042275.tif 000002
【特許請求の範囲】
【請求項１】
装置間で動画データを送受信するために予め定められたデータ構造に従って動画期間およびブランキング期間を１フレームのデータ構造ごとに含むビデオストリームと前記動画データに関連する関連データを含む関連データストリームとに基づいて、前記関連データを格納するための所定のサイズの追加ブランキング期間を前記ビデオストリームの１フレームごとに追加したデータ構造の多重化ストリームを生成するストリーム生成部と、
前記生成された多重化ストリームを他の集積回路へ送信する送信部と
を具備する集積回路。
【請求項２】
前記追加ブランキング期間には、前記追加ブランキング期間の位置を識別するための識別情報と前記関連データとパディングとが格納され、
前記ストリーム生成部は、前記関連データのサイズに応じて前記パディングの量を増減させて前記追加ブランキング期間を生成する
請求項１記載の集積回路。
【請求項３】
前記関連データストリームは、前記動画データに関連付けられているオーディオデータを前記関連データとして含む請求項１記載の集積回路。
【請求項４】
送受信するために１フレームを複数のサブフレームに分割することにより生成された複数の前記ビデオストリームに基づいて前記分割される前のフレームを復元する復元部と、
前記復元されたフレームについて、前記分割において行われた分割方式とは異なる分割方式に基づいて再分割して、新たな複数のビデオストリームを生成する分割部とをさらに具備し、
前記ストリーム生成部は、前記新たな複数のビデオストリームごとに前記多重化ストリームを複数生成し、
前記送信部は、前記他の集積回路へ前記生成された複数の多重化ストリームを送信する
請求項１記載の集積回路。
【請求項５】
前記復元部による復元対象となるビデオストリームは、１フレームを４分割して生成されたストリームであり、
前記分割部は、前記復元されたフレームにおける各画素のデータを、当該復元されたフレームの所定方向に連続している４画素単位で交互に順次分類することにより、４系統の新たなビデオストリームを前記新たな複数のビデオストリームとして生成する
請求項４記載の集積回路。
【請求項６】
前記復元部による復元対象となるビデオストリームは、１フレームを４分割して生成されたストリームであり、
前記分割部は、前記復元されたフレームにおける各画素のデータを、当該復元されたフレームの所定方向に連続している２画素単位で交互に順次分類するとともに、前記所定方向に直交する方向に連続している２ライン単位で交互に順次分類することにより、４系統の新たなビデオストリームを前記新たな複数のビデオストリームとして生成する
請求項４記載の集積回路。
【請求項７】
動画データの関連データを格納するための所定のサイズの追加ブランキング期間を装置間における前記動画データの送受信のために予め定められたデータ構造に追加した多重化ストリームを受信するストリーム受信部と、
前記受信された多重化ストリームに含まれている動画データおよび関連データを分離する分離部と、
前記予め定められたデータ構造のビデオストリームに前記分離された動画データを格納して送信するビデオストリーム送信部と、
前記関連データを装置間で送受信するためのデータ構造の関連データストリームに前記分離された関連データを格納して送信する関連データストリーム送信部と
を具備する集積回路。
【請求項８】
装置間で動画データを送受信するために予め定められたデータ構造に従って動画期間およびブランキング期間を１フレームのデータ構造ごとに含むビデオストリームと前記動画データに関連する関連データを含む関連データストリームとに基づいて、前記関連データを格納するための所定のサイズの追加ブランキング期間を前記ビデオストリームの１フレームごとに追加したデータ構造の多重化ストリームを生成するストリーム生成部と、前記生成された多重化ストリームを他の集積回路へ送信する送信部とを備える第１集積回路と、
前記送信された多重化ストリームから前記動画データおよび前記関連データを分離する分離部と、前記分離された動画データを画像処理する画像処理部と、前記分離された関連データを信号処理する関連データ処理部とを備える第２集積回路と
を具備する情報処理装置。
【発明の詳細な説明】
【技術分野】
【０００１】
本技術は、集積回路に関し、特に、複数の系統のストリームを送信または受信するための集積回路および情報処理装置に関する。
【背景技術】
【０００２】
近年、高画質なビデオデータ（映像データ）や高音質なオーディオデータ（音声データ）を入出力する装置が普及している。一般的に、高画質なビデオデータや高音質なオーディオデータはデータ量が大きいため、電子機器間を送受信するデータ量も増加している。このデータ量の増加に伴い電子機器間を接続する配線が増加することが想定される。しかしながら、電子機器間を接続する配線の数は少ないことが望ましく、種々の伝送方式が規格化されて用いられている。
【０００３】
例えば、ＳＤＩ（Serial Digital Interface）規格を用いてデータを送受信する装置が提案されている（例えば、特許文献１参照。）。ＳＤＩ規格は、例えば、ビデオデータおよびオーディオデータを多重化して１つのストリームを生成し、生成されたストリームをシリアライズして送受信する規格である。
【先行技術文献】
【特許文献】
【０００４】
【特許文献１】特開２００１−２９２４１２号公報
【発明の概要】
【発明が解決しようとする課題】
【０００５】
上記の従来技術では、ビデオデータおよびオーディオデータを、１本の同軸ケーブルを介して送受信することができる。しかしながら、上述したように、電子機器間を送受信するデータ量が増加しているため、データの伝送速度が不足しつつある。
【０００６】
そこで、ＳＤＩ規格を用いつつデータの伝送速度の不足を補うために、伝送方法に種々の工夫を施してデータを送受信することが行われている。例えば、ビデオデータのサイズ（フレームのサイズ）はＳＤＩ規格で送信可能なサイズである。しかしながら、オーディオデータのサイズが大き過ぎる場合には、ビデオデータおよびオーディオデータを一緒に送信することができない。そこで、このような場合には、２本のケーブルを配線して、ビデオデータとオーディオデータとを別々のストリームのまま送受信する。また、ビデオデータにおけるフレームのサイズが大き過ぎる場合には、１フレームを複数のフレームに分割し、複数のストリームとして送信する。
【０００７】
これらの場合には、複数のストリームを受信するため、ビデオデータとオーディオデータとを機器内で送受信するための信号線の数も増える。このように信号線の数が増えると、ＳＩ（Signal Integrity）の低下や、信号間の位相の管理が難しくなることが想定される。このため、機器ごとに回路を設計する際における設計コストの増加や、歩留まりの低下による品質コストの増加などが生じるおそれがある。そこで、複数の系統で受信した複数のデータを、信号線の数を増やさないように機器内を伝送させることが重要である。
【０００８】
本技術はこのような状況に鑑みて生み出されたものであり、複数の系統のストリームの機器内部における伝送に係る信号線の増加を抑制することを目的とする。
【課題を解決するための手段】
【０００９】
本技術は、上述の問題点を解消するためになされたものであり、その第１の側面は、装置間で動画データを送受信するために予め定められたデータ構造に従って動画期間およびブランキング期間を１フレームのデータ構造ごとに含むビデオストリームと上記動画データに関連する関連データを含む関連データストリームとに基づいて、上記関連データを格納するための所定のサイズの追加ブランキング期間を上記ビデオストリームの１フレームごとに追加したデータ構造の多重化ストリームを生成するストリーム生成部と、上記生成された多重化ストリームを他の集積回路へ送信する送信部とを具備する集積回路である。これにより、他の機器から送信された動画データおよび関連データを他の集積回路へ送信するために、関連データを格納するための所定のサイズの追加ブランキング期間をビデオストリームの１フレームごとに追加したデータ構造の多重化ストリームを他の集積回路へ送信させるという作用をもたらす。
【００１０】
また、この第１の側面において、上記追加ブランキング期間には、上記追加ブランキング期間の位置を識別するための識別情報と上記関連データとパディングとが格納され、上記ストリーム生成部は、上記関連データのサイズに応じて上記パディングの量を増減させて上記追加ブランキング期間を生成するようにしてもよい。これにより、識別情報と、関連データと、パディングとに基づいてブランキング期間が生成されるという作用をもたらす。
【００１１】
また、この第１の側面において、上記関連データストリームは、上記動画データに関連付けられているオーディオデータを上記関連データとして含むようにしてもよい。これにより、動画データに関連付けられているオーディオデータが関連データとして含まれるという作用をもたらす。
【００１２】
また、この第１の側面において、送受信するために１フレームを複数のサブフレームに分割することにより生成された複数の上記ビデオストリームに基づいて上記分割される前のフレームを復元する復元部と、上記復元されたフレームについて、上記分割において行われた分割方式とは異なる分割方式に基づいて再分割して、新たな複数のビデオストリームを生成する分割部とをさらに具備し、上記ストリーム生成部は、上記新たな複数のビデオストリームごとに上記多重化ストリームを複数生成し、上記送信部は、上記他の集積回路へ上記生成された複数の多重化ストリームを送信するようにしてもよい。これにより、１フレームを複数のフレームに分割して生成された複数のビデオストリームを異なる分割方式に分割して生成された新たな複数のビデオストリームに基づいて複数の多重化ストリームが生成されるという作用をもたらす。
【００１３】
また、この第１の側面において、上記復元部による復元対象となるビデオストリームは、１フレームを４分割して生成されたストリームであり、上記分割部は、上記復元されたフレームにおける各画素のデータを、当該復元されたフレームの所定方向に連続している４画素単位で交互に順次分類することにより、４系統の新たなビデオストリームを上記新たな複数のビデオストリームとして生成するようにしてもよい。これにより、１フレームを４分割する分割方式を、復元されたフレームの所定方向に連続している４画素単位で交互に順次分類する分割方式に変換することができる。
【００１４】
また、この第１の側面において、上記復元部による復元対象となるビデオストリームは、１フレームを４分割して生成されたストリームであり、上記分割部は、上記復元されたフレームにおける各画素のデータを、当該復元されたフレームの所定方向に連続している２画素単位で交互に順次分類するとともに、上記所定方向に直交する方向に連続している２ライン単位で交互に順次分類することにより、４系統の新たなビデオストリームを上記新たな複数のビデオストリームとして生成するようにしてもよい。これにより、１フレームを４分割する分割方式を、復元されたフレームの所定方向に連続している２画素単位で交互に順次分類するとともに、所定方向に直交する方向に隣接している２ライン単位で交互に順次分類する分割方式に変換することができる。
【００１５】
また、本技術の第２の側面は、動画データの関連データを格納するための所定のサイズの追加ブランキング期間を装置間における上記動画データの送受信のために予め定められたデータ構造に追加した多重化ストリームを受信するストリーム受信部と、上記受信された多重化ストリームに含まれている動画データおよび関連データを分離する分離部と、上記予め定められたデータ構造のビデオストリームに上記分離された動画データを格納して送信するビデオストリーム送信部と、上記関連データを装置間で送受信するためのデータ構造の関連データストリームに上記分離された関連データを格納して送信する関連データストリーム送信部とを具備する集積回路である。これにより、多重化ストリームから分離された動画データおよび関連データが、ビデオストリームおよび関連データストリームとして他の装置へ送信されるという作用をもたらす。
【００１６】
また、本技術の第３の側面は、装置間で動画データを送受信するために予め定められたデータ構造に従って動画期間およびブランキング期間を１フレームのデータ構造ごとに含むビデオストリームと上記動画データに関連する関連データを含む関連データストリームとに基づいて、上記関連データを格納するための所定のサイズの追加ブランキング期間を上記ビデオストリームの１フレームごとに追加したデータ構造の多重化ストリームを生成するストリーム生成部と、上記生成された多重化ストリームを他の集積回路へ送信する送信部とを備える第１集積回路と、上記送信された多重化ストリームから上記動画データおよび上記関連データを分離する分離部と、上記分離された動画データを画像処理する画像処理部と、上記分離された関連データを信号処理する関連データ処理部とを備える第２集積回路とを具備する情報処理装置である。これにより、第１集積回路が生成した多重化ストリームを受信した第２集積回路が多重化ストリームに含まれる各データを分離して、そして、第２集積回路が分離した各データを含むそれぞれのストリームを各データの処理部に信号処理させるという作用をもたらす。
【発明の効果】
【００１７】
本技術によれば、複数の系統のストリームの機器内部における伝送に係る信号線の増加を抑制することができるという優れた効果を奏し得る。
【図面の簡単な説明】
【００１８】
【図１】本技術の第１の実施の形態における情報処理装置１００の構成例を示すブロック図である。
【図２】本技術の第１の実施の形態におけるインターフェース基板２００の機器内伝送ストリーム生成部３００およびストリーム送信部２７０の構成例を示すブロック図である。
【図３】本技術の第１の実施の形態における信号処理回路基板４００のストリーム受信部４１０および機器内伝送ストリーム分離部４２０の構成例を示すブロック図である。
【図４】本技術の第１の実施の形態の情報処理装置１００におけるビデオストリームのビット幅およびクロックの一例を示す模式図である。
【図５】本技術の第１の実施の形態の情報処理装置１００における機器内伝送ストリームのデータ構造の一例を示す模式図である。
【図６】本技術の第１の実施の形態のストリーム生成部３９０により生成される機器内伝送ストリームの追加ブランキング５４０におけるデータ構造の一例を示す模式図である。
【図７】本技術の第１の実施の形態のストリーム生成部３９０により生成される機器内伝送ストリームを用いて機器内を伝送することによる効果の一例を示す模式図である。
【図８】本技術の第２の実施の形態における情報処理装置１１０の構成例を示すブロック図である。
【図９】本技術の第２の実施の形態におけるビデオデータ書込部６３０、ビデオデータ取得部６４０およびフレーム復元部６８０の構成例を示すブロック図である。
【図１０】本技術の第２の実施の形態における情報処理装置１１０に外部装置から供給される４系統のビデオストリームの一例を示す模式図である。
【図１１】本技術の第２の実施の形態におけるＤＲＡＭ６８４に保持される画像（フレーム）のメモリマップの一例を示す模式図である。
【図１２】本技術の第２の実施の形態におけるＤＲＡＭ６８４に保持された画像をビデオデータ取得部６４０が読み出す際における分割方式の変換の一例を示す模式図である。
【図１３】本技術の第２の実施の形態におけるＤＲＡＭ６８４に保持された画像をビデオデータ取得部６４０が読み出す際における分割方式の変換の一例を示す模式図である。
【図１４】本技術の第３の実施の形態における情報処理装置１２０の構成例を示すブロック図である。
【図１５】本技術の第３の実施の形態におけるインターフェース基板２０９の構成例を示すブロック図である。
【発明を実施するための形態】
【００１９】
以下、本技術を実施するための形態（以下、実施の形態と称する）について説明する。説明は以下の順序により行う。
１．第１の実施の形態（機器内伝送制御：他の機器が送信した３つのストリームを信号処理回路に伝送する例）
２．第２の実施の形態（機器内伝送制御：複数系統のビデオストリームを機器内伝送する例）
３．第３の実施の形態（機器内伝送制御：他の機器に送信する３つのストリームを機器内伝送する例）
【００２０】
＜１．第１の実施の形態＞
［情報処理装置の構成例］
図１は、本技術の第１の実施の形態における情報処理装置１００の構成例を示すブロック図である。この情報処理装置１００は、インターフェース基板２００と、信号処理回路基板４００とを備える。
【００２１】
なお、本技術の実施の形態では、情報処理装置１００の外部の装置（外部装置）から情報処理装置１００に対して、３つのストリーム（ビデオストリーム、オーディオストリーム、付随データストリーム）が送信されていることを想定する。なお、付随データについては、インターフェース基板２００の付随データストリーム入力端子２９３の説明において説明するため、ここでの説明を省略する。
【００２２】
インターフェース基板２００は、情報処理装置１００と外部装置との間におけるデータの送受信を介在するための基板である。このインターフェース基板２００は、ビデオストリーム入力端子２９１と、オーディオストリーム入力端子２９２と、付随データストリーム入力端子２９３とを備える。また、インターフェース基板２００は、ビデオストリーム変換部２１０と、オーディオストリーム変換部２２０と、付随データストリーム変換部２３０と、ベースバンドクロック生成部２４０とを備える。また、インターフェース基板２００は、ストリームクロック生成部２５０と、機器内伝送ストリーム生成部３００と、機器内伝送クロック生成部２６０と、ストリーム送信部２７０とを備える。なお、インターフェース基板２００は、特許請求の範囲に記載の、集積回路および第１集積回路の一例である。
【００２３】
ビデオストリーム入力端子２９１は、外部装置が出力したビデオ（動画）ストリームを情報処理装置１００が受信するための端子である。例えば、ビデオストリーム入力端子２９１は、ＳＤＩ（Serial Digital Interface）規格に基づいて送信されたビデオストリーム（ビット幅が１ｂｉｔ）を受信する。ビデオストリーム入力端子２９１は、受信したビデオストリームを、ビデオストリーム変換部２１０に供給する。なお、ビデオストリームは特許請求の範囲に記載の装置間で動画を送受信するために予め定められたデータ構造のストリームの一例である。
【００２４】
オーディオストリーム入力端子２９２は、外部装置が出力したオーディオストリームを情報処理装置１００が受信するための端子である。このオーディオストリーム入力端子２９２が受信するオーディオストリームは、ビデオストリーム入力端子２９１に入力されるビデオのオーディオ部分のストリームであり、ビデオストリームに関連するデータである。オーディオストリーム入力端子２９２は、ビデオストリームとは別の信号（別のケーブル）を介して送信されたオーディオストリームを受信する。なお、本技術の第１の実施の形態では、オーディオストリーム入力端子２９２にはビット幅が１ｂｉｔのデジタルオーディオが入力されることを想定する。オーディオストリーム入力端子２９２は、受信したオーディオストリームを、オーディオストリーム変換部２２０に供給する。
【００２５】
付随データストリーム入力端子２９３は、外部装置が出力した付随データストリーム情報を情報処理装置１００が受信するための端子である。ここで、付随データについて説明する。付随データとは、ビデオおよびオーディオ以外のデータであって、ビデオストリームに関連するデータである。例えば、文字放送における文字データや、ビデオストリームにおけるフレームレートなどのデータが付随データとして送信される。付随データストリーム入力端子２９３は、ビデオストリームおよびオーディオストリームとは別の信号線を介して送信された付随データストリームを受信する。付随データストリーム入力端子２９３は、受信した付随データストリームを、付随データストリーム変換部２３０に供給する。なお、オーディオストリームおよび付随データストリームは、特許請求の範囲に記載の動画データに関連する関連データを含むストリームの一例である。すなわち、オーディオデータおよび付随データは、特許請求の範囲に記載の関連データの一例である。
【００２６】
ビデオストリーム変換部２１０は、ビデオストリーム入力端子２９１から供給されたビデオストリームを、機器内伝送ストリーム生成部３００が処理するビット幅のデータに変換するものである。すなわち、ビデオストリーム変換部２１０は、シリアルデータをパラレルデータに変換する。なお、機器内伝送ストリーム生成部３００ではビデオストリームのベースバンドのビット幅およびクロックを用いて各データが処理されるため、ビデオストリーム変換部２１０は、このビット幅にビデオストリームのビット幅を変換する。ビデオストリーム変換部２１０は、ビット幅を変換したビデオストリームを、ベースバンドクロック生成部２４０が復元したベースバンドクロックに乗せて、信号線２１１を介して機器内伝送ストリーム生成部３００に供給する。
【００２７】
ベースバンドクロック生成部２４０は、ビデオストリームのベースバンドクロックを生成するものである。このベースバンドクロック生成部２４０は、生成したベースバンドクロックを、ビデオストリーム変換部２１０およびストリームクロック生成部２５０に供給する。なお、ビデオストリーム変換部２１０およびベースバンドクロック生成部２４０は、例えば、３Ｇ−ＳＤＩに対応したデシリアライザ（ＤｅＳｅｒ：Deserializers）により実現される。
【００２８】
オーディオストリーム変換部２２０は、オーディオストリーム入力端子２９２から供給されたオーディオストリームを、機器内伝送ストリーム生成部３００が処理するビット幅のデータに変換（シリアルデータをパラレルデータに変換）するものである。すなわち、オーディオストリーム変換部２２０は、ビデオストリーム変換部２１０が変換するビデオストリームのビット幅と同じビット幅にオーディオストリームを変換する。オーディオストリーム変換部２２０は、ビット幅を変換したオーディオストリームを、信号線２２１を介して機器内伝送ストリーム生成部３００に供給する。
【００２９】
付随データストリーム変換部２３０は、付随データストリーム入力端子２９３から供給された付随データストリームを、機器内伝送ストリーム生成部３００が処理するビット幅のデータに変換するものである。すなわち、付随データストリーム変換部２３０は、ビデオストリーム変換部２１０およびオーディオストリーム変換部２２０が変換するビット幅と同じビット幅に付随データストリームを変換する。付随データストリーム変換部２３０は、ビット幅を変換した付随データストリームを、信号線２３１を介して機器内伝送ストリーム生成部３００に供給する。
【００３０】
ストリームクロック生成部２５０は、機器内伝送ストリーム生成部３００により生成されるストリーム（機器内伝送ストリーム）のベースバンドクロックを生成するものである。このストリームクロック生成部２５０は、例えば、ＰＬＬ（Phase Locked Loop）回路により実現され、ベースバンドクロック生成部２４０から供給されたクロックのｍ／ｎ倍のクロック（例えば、６／５（１．２倍））を生成する。ストリームクロック生成部２５０は、生成したクロック（ストリームクロック）を、機器内伝送ストリーム生成部３００および機器内伝送クロック生成部２６０に信号線２５１を介して供給する。
【００３１】
機器内伝送ストリーム生成部３００は、インターフェース基板２００が外部装置から受信した３つのストリームに基づいて、この３つのストリームを情報処理装置１００の内部（機器内）の他の回路へ送信（伝送）するためのストリームを生成するものである。なお、この機器内伝送ストリーム生成部３００については図２を用いて説明するため、ここでの説明を省略する。機器内伝送ストリーム生成部３００は、生成したストリーム（機器内伝送ストリーム）を、ストリーム送信部２７０に供給する。また、機器内伝送ストリーム生成部３００は、機器内伝送ストリームに関する情報（機器内伝送ストリーム情報）を、信号線２０１を介して信号処理回路基板４００の機器内伝送ストリーム分離部４２０に供給する。なお、機器内伝送ストリーム生成部３００は、特許請求の範囲に記載のストリーム生成部の一例である。また、機器内伝送ストリームは、特許請求の範囲に記載のストリーム生成部が生成する多重化ストリームの一例である。
【００３２】
機器内伝送クロック生成部２６０は、機器内伝送ストリームを他の回路へ送信（伝送）するためのクロック（機器内伝送クロック）を生成するものである。この機器内伝送クロック生成部２６０は、例えば、ストリームクロック生成部２５０から供給されたストリームクロックに基づいて、機器内伝送クロックを生成する。機器内伝送クロック生成部２６０は、生成した機器内伝送クロックを、ストリーム送信部２７０に供給する。
【００３３】
ストリーム送信部２７０は、機器内伝送ストリーム生成部３００からの機器内伝送ストリームを、機器内伝送クロック生成部２６０からの機器内伝送クロックが示す速度（周波数）に乗せて、他の回路（図１では信号処理回路基板４００）へ送信するものである。なお、ストリーム送信部２７０については図２を参照して説明し、ここでの説明を省略する。ストリーム送信部２７０は、機器内伝送ストリームを、信号線２０２を介して信号処理回路基板４００のストリーム受信部４１０に供給する。なお、機器内伝送クロック生成部２６０およびストリーム送信部２７０は、例えば、ＬＶＤＳ（Low Voltage Differential Signaling：低電圧差動信号）伝送方式によりデータを送信するシリアライザ（Serializer）により実現される。なお、ストリーム送信部２７０は、特許請求の範囲に記載の送信部の一例である。
【００３４】
信号処理回路基板４００は、情報処理装置１００において信号処理を行う回路が集積された基板である。この信号処理回路基板４００は、ストリーム受信部４１０と、機器内伝送ストリーム分離部４２０と、ビデオプロセッサ４４０と、オーディオプロセッサ４５０と、システムコントローラ４６０とを備える。なお、信号処理回路基板４００は、特許請求の範囲に記載の第２集積回路の一例である。
【００３５】
ストリーム受信部４１０は、インターフェース基板２００のストリーム送信部２７０から供給された機器内伝送ストリームを受信するものである。なお、ストリーム受信部４１０については、図３を参照して説明するため、ここでの説明を省略する。ストリーム受信部４１０は、受信した機器内伝送ストリームを、機器内伝送ストリーム分離部４２０における処理速度（クロック）に乗せて、機器内伝送ストリーム分離部４２０に供給する。なお、ストリーム受信部４１０は、例えば、ＬＶＤＳ伝送方式により送信されたデータを受信するデシリアライザにより実現される。なお、ストリーム受信部４１０は、特許請求の範囲に記載のストリーム受信部の一例である。
【００３６】
機器内伝送ストリーム分離部４２０は、機器内伝送ストリームに含まれている３つのストリーム（ビデオストリーム、オーディオストリーム、付随データストリーム）をそれぞれ分離するものである。なお、機器内伝送ストリーム分離部４２０については図３を参照して説明するため、ここでの説明を省略する。この機器内伝送ストリーム分離部４２０は、機器内伝送ストリームから分離したビデオストリームを、信号線４４９を介してビデオプロセッサ４４０に供給する。また、機器内伝送ストリーム分離部４２０は、分離したオーディオストリームをオーディオプロセッサ４５０に信号線４５９を介して供給し、分離した付随データストリームをシステムコントローラ４６０に信号線４６９を介して供給する。なお、機器内伝送ストリーム分離部４２０は、特許請求の範囲に記載の分離部の一例である。
【００３７】
ビデオプロセッサ４４０は、ビデオストリームを信号処理するものであり、例えば、ビデオストリームに基づいて生成された動画像（ビデオ）を表示部（図示せず）に表示させる。
【００３８】
オーディオプロセッサ４５０は、オーディオストリームを信号処理するものであり、例えば、オーディオストリームに基づいて生成されたサウンド（オーディオ）をスピーカ（図示せず）から発生させる。
【００３９】
システムコントローラ４６０は、情報処理装置１００の動作を制御するものであり、例えば、付随データストリームに含まれている文字情報を信号処理して表示部（図示せず）に表示させる。
【００４０】
［機器内伝送ストリーム生成部およびストリーム送信部の構成例］
図２は、本技術の第１の実施の形態におけるインターフェース基板２００の機器内伝送ストリーム生成部３００およびストリーム送信部２７０の構成例を示すブロック図である。
【００４１】
なお、本技術の第１の実施の形態では、ビデオストリーム入力端子２９１から入力されるＳＤＩ規格のビデオストリームには、ビデオデータ以外は含まれていない（エンベッドオーディオなどの付随データが無い）ことを想定して説明する。
【００４２】
機器内伝送ストリーム生成部３００は、ビデオデータ分離部３１０と、ＴＲＳ（Timing Reference Signal）解析部３２０と、ビデオデータバッファ３３０と、オーディオデータバッファ３４０と、オーディオデータパケット生成部３４５とを備える。また、機器内伝送ストリーム生成部３００は、付随データバッファ３５０と、付随データパケット生成部３５５と、制御部３６０と、制御パケット生成部３７０と、ＴＲＳ生成部３８０と、ブランク生成部３８５と、ストリーム生成部３９０とを備える。
【００４３】
ビデオデータ分離部３１０は、ビデオストリーム変換部２１０から信号線２１１を介して供給されるビデオストリームを解析し、ビデオデータのみをビデオデータバッファ３３０に格納するようにビデオデータを分離するものである。なお、ビデオデータ分離部３１０は、１フレーム中の１ラインごとに、ビデオデータをビデオデータバッファ３３０に供給する。また、ビデオデータ分離部３１０は、ビデオストリームのデータタイミング基準信号であるＴＲＳを、ＴＲＳ解析部３２０に供給する。
【００４４】
ＴＲＳ解析部３２０は、ビデオストリームに含まれているＴＲＳを解析して、ビデオストリームに関する情報を生成するものである。例えば、ＴＲＳ解析部３２０は、ＴＲＳに基づいて、１フレームの横の長さ（水平解像度）や、１フレームの縦の長さ（垂直解像度）や、ビデオデータのブランキング期間の長さなどを検出する。ＴＲＳ解析部３２０は、検出したビデオストリームに関する情報を制御部３６０に供給する。
【００４５】
ビデオデータバッファ３３０は、ビデオデータ分離部３１０から供給されたビデオデータを保持するものである。このビデオデータバッファ３３０は、例えば、１フレーム中の１ラインごとにビデオデータを保持する。ビデオデータバッファ３３０は、保持するビデオデータを制御部３６０からの命令に基づいてストリーム生成部３９０に供給する。なお、ビデオデータバッファ３３０は、例えば、ビデオデータをラインごとに保持する先入れ先出し（ＦＩＦＯ：First-In First-Out）タイプのキューであって、データの入力と出力とが非同期（クロックが異なる）のキューにより実現される。なお、図２では、説明の便宜上、ビデオデータバッファ３３０が動作するためのクロックの信号線は、出力側のクロック（信号線２５１を介して供給されるストリームクロック）の信号線のみを示し、入力側のクロックの信号線については省略する。また、オーディオデータバッファ３４０および付随データバッファ３５０についても同様に、出力側のクロックの信号線（信号線２５１）に付いてのみ図示し、入力側のクロックの信号線については省略する。
【００４６】
オーディオデータバッファ３４０は、オーディオストリーム変換部２２０から信号線２２１を介して供給されるオーディオストリームのデータ（オーディオデータ）を保持するものである。このオーディオデータバッファ３４０は、保持するオーディオデータを、制御部３６０からの命令に基づいてオーディオデータパケット生成部３４５に供給する。なお、オーディオデータバッファ３４０は、例えば、ＦＩＦＯタイプであって、データの入力と出力とが非同期のキューにより実現される。
【００４７】
オーディオデータパケット生成部３４５は、オーディオデータバッファ３４０から供給されるオーディオデータに基づいて、ストリーム生成部３９０が生成するストリームにおけるオーディオデータの格納単位（パケット）を生成するものである。すなわち、オーディオデータパケット生成部３４５は、オーディオデータバッファ３４０から供給されるオーディオデータのファイル形式を、ストリーム生成部３９０が生成するストリーム（機器内伝送ストリーム）におけるオーディオのファイル形式に変換する。オーディオデータパケット生成部３４５は、生成したオーディオデータのパケット（オーディオパケット）を、ストリーム生成部３９０に供給する。
【００４８】
付随データバッファ３５０は、付随データストリーム変換部２３０から信号線２３１を介して供給される付随データストリームのデータ（付随データ）を保持するものである。この付随データバッファ３５０は、保持する付随データを、制御部３６０からの命令に基づいて付随データパケット生成部３５５に供給する。なお、付随データバッファ３５０は、例えば、ＦＩＦＯタイプのキューにより実現される。
【００４９】
付随データパケット生成部３５５は、付随データバッファ３５０から供給される付随データに基づいて、機器内伝送ストリームにおける付随データの格納単位（パケット）を生成するものである。すなわち、付随データパケット生成部３５５は、付随データバッファ３５０から供給される付随データのファイル形式を、付随データバッファ３５０が生成する機器内伝送ストリームにおける付随データのファイル形式に変換する。付随データパケット生成部３５５は、生成した付随データのパケット（付随データパケット）を、ストリーム生成部３９０に供給する。
【００５０】
制御パケット生成部３７０は、制御部３６０からの命令に基づいて、機器内伝送ストリームに含まれる制御パケットを生成するものである。ここで、制御パケットとは、機器内伝送ストリームにおけるオーディオパケットおよび付随データパケットを格納するためのブランキングを識別するための情報が格納されたパケットである。なお、このオーディオパケットおよび付随データパケットを格納するためのブランキングは、ビデオストリーム入力端子２９１から入力されたビデオストリームのデータ構造の所定位置にブランキングの期間を追加するようにして生成される。なお、制御パケットにより識別されるブランキングをこれ以降は追加ブランキングと称し、機器内伝送ストリームにおけるその他のブランキング（ビデオストリームに含まれていたブランキングと同じブランキング）は、単にブランキングと称することとする。追加ブランキングにおけるデータ構造については、図６を参照して説明するため、ここでの説明を省略する。制御パケット生成部３７０は、生成した制御パケットを、ストリーム生成部３９０に供給する。
【００５１】
ＴＲＳ生成部３８０は、制御部３６０からの命令に基づいて、機器内伝送ストリームのデータタイミング基準信号（ＴＲＳ）を生成するものである。なお、機器内伝送ストリームにおけるブランキングおよびビデオデータは、ＳＤＩ規格のブランキングおよびビデオデータと同じである（詳細は、図５および図６を参照）。すなわち、ＴＲＳ生成部３８０は、ＳＤＩ規格のデータタイミング基準信号のＳＡＶ（Start of Active Video）およびＥＡＶ（End of Active Video）と同じＳＡＶおよびＥＡＶを生成する。ＴＲＳ生成部３８０は、生成したＴＲＳ（ＳＡＶおよびＥＡＶ）を、ストリーム生成部３９０に供給する。
【００５２】
ブランク生成部３８５は、制御部３６０からの命令に基づいて、機器内伝送ストリームのブランキングにおけるＴＳＲ以外のデータを生成するものである。また、ブランク生成部３８５は、制御パケットにより識別される追加ブランキングにおける無効なデータ（パディング）も生成する（図６を参照）。ブランク生成部３８５は、生成したデータを、ストリーム生成部３９０に供給する。
【００５３】
制御部３６０は、機器内伝送ストリーム生成部３００による機器内伝送ストリームの生成を制御するものである。制御部３６０は、ビデオデータバッファ３３０、オーディオデータバッファ３４０および付随データバッファ３５０からストリーム生成部３９０へ向けて供給されるデータの供給タイミングを制御する。同様に、制御部３６０は、制御パケット生成部３７０、ＴＲＳ生成部３８０およびブランク生成部３８５において生成されストリーム生成部３９０へ向けて供給される各データの供給タイミングを制御する。これにより、制御部３６０は、１フレーム中の１ラインごとの各データを、データ間の時間軸がずれないようにストリーム生成部３９０へ向けて供給させる。
【００５４】
また、制御部３６０は、ストリーム生成部３９０に選択制御信号を供給し、ストリーム生成部３９０に供給された複数のデータを機器内伝送ストリームのデータ構造へ整列させながら出力させる制御をストリーム生成部３９０に対して行う。なお、機器内伝送ストリームのデータ構造については、図５および図６において説明する。
【００５５】
ストリーム生成部３９０は、機器内伝送ストリームのデータとして供給された複数のデータを整列させて、機器内伝送ストリームを生成するものである。このストリーム生成部３９０は、例えば、マルチプレクサ（ＭＵＸ：MUltipleXer）により実現される。ストリーム生成部３９０は、生成した機器内伝送ストリームをストリーム送信部２７０のビット幅変換部２７１に供給する。
【００５６】
ストリーム送信部２７０は、ビット幅変換部２７１と、ストリーム出力部２７２と、クロック出力部２７３とを備える。
【００５７】
ビット幅変換部２７１は、ストリーム生成部３９０から供給された機器内伝送ストリームのビット幅を、機器内の機器内伝送ストリームの経路（伝送ケーブルまたはバックプレーン）におけるビット幅に変換するものである。このビット幅変換部２７１には、機器内伝送クロック生成部２６０から機器内伝送クロックが供給されて、このクロックに乗せて機器内伝送ストリームのビット幅を変換する。例えば、ストリーム生成部３９０において生成された２０ｂｉｔの機器内伝送ストリームを５ｂｉｔの経路で送る場合には、ビット幅変換部２７１は２０ｂｉｔから５ｂｉｔにビット幅をシリアライズする。ビット幅変換部２７１は、ビット幅を変換した機器内伝送ストリームをストリーム出力部２７２に供給する。
【００５８】
ストリーム出力部２７２は、ビット幅変換部２７１から供給された機器内伝送ストリームを、情報処理装置１００内の他の回路に向けて出力（送信）するものである。例えば、ストリーム出力部２７２は、ＬＶＤＳ伝送方式により機器内伝送ストリームを送信する。ストリーム出力部２７２は、信号線２０２における信号線２０４を介して、信号処理回路基板４００に機器内伝送ストリームを供給する。
【００５９】
クロック出力部２７３は、ストリーム出力部２７２が出力する信号のビット幅を復元した際のクロック（復元クロック）を出力するものである。例えば、機器内伝送クロック生成部２６０が１５０ＭＨｚのストリームクロックから６００ＭＨｚの機器内伝送クロックを生成した場合には、クロック出力部２７３は１５０ＭＨｚのクロックを出力する。クロック出力部２７３は、信号線２０２における信号線２０３を介して、信号処理回路基板４００に復元クロックを供給する。
【００６０】
［ストリーム受信部および機器内伝送ストリーム分離部の構成例］
図３は、本技術の第１の実施の形態における信号処理回路基板４００のストリーム受信部４１０および機器内伝送ストリーム分離部４２０の構成例を示すブロック図である。
【００６１】
ストリーム受信部４１０は、ストリーム入力部４１１と、ビット幅変換部４１２と、クロック入力部４１３とを備える。
【００６２】
ストリーム入力部４１１は、インターフェース基板２００から信号線２０４を介して伝送される機器内伝送ストリームを受信するものである。ストリーム入力部４１１は、受信した機器内伝送ストリームをビット幅変換部４１２に供給する。
【００６３】
クロック入力部４１３は、インターフェース基板２００から信号線２０３を介して伝送される機器内伝送ストリームの復元クロックを受信するものである。このクロック入力部４１３は、受信した復元クロックを、ビット幅変換部４１２と、機器内伝送ストリーム分離部４２０のビデオクロック生成部４２６とに供給する。
【００６４】
ビット幅変換部４１２は、クロック入力部４１３から供給された復元クロックに合わせて機器内伝送ストリームのビット幅を変換するものである。すなわち、ビット幅変換部４１２は、ストリーム送信部２７０のビット幅変換部２７１（図２参照）が行った変換（２０ｂｉｔを５ｂｉｔに変換）と逆の変換（５ｂｉｔを２０ｂｉｔに変換）を機器内伝送ストリームに対して行う。ビット幅変換部４１２は、ビット幅を変換した機器内伝送ストリームを、機器内伝送ストリーム分離部４２０のストリーム分離部４２２に供給する。
【００６５】
機器内伝送ストリーム分離部４２０は、ストリーム情報解析部４２１と、ストリーム分離部４２２と、ビデオストリーム生成部４２３と、オーディオストリーム生成部４２４と、付随データストリーム生成部４２５と、ビデオクロック生成部４２６とを備える。
【００６６】
ストリーム情報解析部４２１は、インターフェース基板２００から信号線２０１を介して供給される機器内伝送ストリーム情報を解析するものである。このストリーム情報解析部４２１は、機器内伝送ストリーム情報を解析することにより、機器内伝送ストリームのデータ構造を検出する。ストリーム情報解析部４２１は、検出した機器内伝送ストリームのデータ構造に基づいて、ストリーム分離部４２２にデータを分離させるための選択制御信号をストリーム分離部４２２に供給する。
【００６７】
ストリーム分離部４２２は、ビット幅変換部４１２から供給される機器内伝送ストリームを、ストリーム情報解析部４２１から供給される選択制御信号に基づいて各データ（ビデオ、オーディオ、付随データ）に分離するものである。このストリーム分離部４２２は、例えば、デマルチプレクサ（ＤＭＸ：DeMultipleXer）により実現される。ストリーム分離部４２２は、機器内伝送ストリームから分離したビデオデータを、ビデオストリーム生成部４２３に供給する。また、ストリーム分離部４２２は、分離したオーディオデータをオーディオストリーム生成部４２４に供給し、分離した付随データを付随データストリーム生成部４２５に供給する。
【００６８】
ビデオクロック生成部４２６は、ストリーム受信部４１０のクロック入力部４１３から供給される復元クロックに基づいて、ビデオクロックを生成するものである。ビデオクロック生成部４２６は、生成したビデオクロックを、ビデオストリーム生成部４２３に供給する。
【００６９】
ビデオストリーム生成部４２３は、ストリーム分離部４２２から供給されたビデオデータに基づいて、ビデオプロセッサ４４０が演算するデータ形式のビデオストリームを生成するものである。このビデオストリーム生成部４２３は、例えば、ストリーム分離部４２２から供給されたビデオデータを、ビデオクロック生成部４２６から供給されるビデオクロックに乗せて時系列順に順次出力する。ビデオストリーム生成部４２３は、順次出力したビデオデータ（ビデオストリーム）を、信号線４４９を介してビデオプロセッサ４４０に供給する。
【００７０】
オーディオストリーム生成部４２４は、ストリーム分離部４２２から供給されたオーディオデータに基づいて、オーディオプロセッサ４５０が演算するデータ形式のオーディオデータを生成するものである。このオーディオストリーム生成部４２４は、例えば、ストリーム分離部４２２から供給されたオーディオデータを、機器内伝送ストリーム情報によって復元されたオーディオクロックに乗せて時系列順に順次出力する。オーディオストリーム生成部４２４は、生成したオーディオデータを、信号線４５９を介してオーディオプロセッサ４５０に供給する。
【００７１】
付随データストリーム生成部４２５は、ストリーム分離部４２２から供給された付随データに基づいて、システムコントローラ４６０が演算するデータ形式の付随データストリームを生成するものである。この付随データストリーム生成部４２５は、例えば、ストリーム分離部４２２から供給された付随データを、機器内伝送ストリーム情報により復元された付随データクロックに乗せて時系列順に順次出力する。付随データストリーム生成部４２５は、生成した付随データストリームを、信号線４６９を介してシステムコントローラ４６０に供給する。
【００７２】
［情報処理装置におけるビデオストリームのビット幅およびクロックの一例］
図４は、本技術の第１の実施の形態の情報処理装置１００におけるビデオストリームのビット幅およびクロックの一例を示す模式図である。
【００７３】
同図には、図１乃至図３において示した各構成のうち、ビデオデータ、オーディオデータおよび付随データが処理される構成が、各構成間を結ぶ信号線と共に示されている。なお、オーディオデータパケット生成部３４５および付随データパケット生成部３５５については、説明の便宜上、図示を省略する。また、ビデオデータが処理される構成間を結ぶ信号線には、ビデオデータを送受信する信号線のビット幅が図示（同図の１ｂｉｔ、２０ｂｉｔ、５ｂｉｔ）されている。また、同図には、ビデオデータを含むストリームのクロックが、そのクロックに乗せて処理される区間を示す矢印および破線とともに示されている。
【００７４】
ここで、ビデオストリームのビット幅およびクロックについて、インターフェース基板２００へのストリームの入力から順に説明する。
【００７５】
まず、ビデオストリーム変換部２１０には、情報処理装置１００の外部の装置から入力されたビデオデータが供給される。例えば、３Ｇ−ＳＤＩの場合には、ビット幅が１ｂｉｔ、クロックが２．９７ＧＨｚの信号（ビデオストリーム）が、ビデオストリーム変換部２１０に供給される。また、オーディオおよび付随データに関しても、それぞれのデータの送信規格におけるビット幅およびクロックで外部装置が送信した信号が、オーディオストリーム変換部２２０および付随データストリーム変換部２３０に供給される。
【００７６】
続いて、ビデオストリーム変換部２１０は、供給されたビデオストリームをパラレル変換して、ビデオストリームのベースバンドのビット幅（２０ｂｉｔ）およびクロック（１４８．５ＭＨｚ）の信号にビデオストリームを変換する。そして、ビデオストリーム変換部２１０は、ビデオストリームをビデオデータバッファ３３０に向けて送信する。また、オーディオデータおよび付随データに関しても、オーディオストリーム変換部２２０および付随データストリーム変換部２３０によりビット幅が２０ｂｉｔの信号にそれぞれ変換される。そして、ビット幅が変換されたオーディオデータおよび付随データは、オーディオデータバッファ３４０および付随データバッファ３５０に向けて送信される。
【００７７】
そして、ビデオデータバッファ３３０、オーディオデータバッファ３４０、付随データバッファ３５０からストリーム生成部３９０に各データが送信される際には、３つのデータが多重化されたストリーム（機器内伝送ストリーム）のクロック（１５０ＭＨｚ）でデータが出力される。すなわち、この３つのバッファにおいて、各データのクロックが、機器内伝送ストリームのクロックに切り替えられる。
【００７８】
その後、ストリーム生成部３９０において、各データが機器内伝送ストリームのデータ構造に合わせてまとめられ、ビット幅が２０ｂｉｔでクロックが１５０ＭＨｚである機器内伝送ストリームが生成される。
【００７９】
続いて、ビット幅変換部２７１において、機器内伝送ストリームのビット幅２０ｂｉｔおよびクロック（１５０ＭＨｚ）は、機器内を伝送するためのビット幅（５ｂｉｔ）およびクロック（６００ＭＨｚ）に変換される。そして、変換された機器内伝送ストリームは、ストリーム出力部２７２から出力され、信号処理回路基板４００のストリーム入力部４１１に送信される。なお、ＬＶＤＳ伝送方式により送信される場合における信号線の本数は、機器内伝送ストリームのための１０本（２本（差動）×５（ｂｉｔ））と、クロックのための２本（差動）と、機器内伝送ストリーム情報を伝送するための信号線との１３本になる。すなわち、２０ｂｉｔのまま送信する場合と比較して、信号線の本数を少なくすることができる。
【００８０】
そして、信号処理回路基板４００において、ビット幅変換部４１２は、ストリーム入力部４１１から供給された機器内伝送ストリーム（５ｂｉｔ、６００ＭＨｚ）を、ビット幅が２０ｂｉｔでクロックが１５０ＭＨｚの機器内伝送ストリームに変換する。これにより、機器内を送受信するために５ｂｉｔにシリアライズされた機器内伝送ストリームが、本来のビット幅（２０ｂｉｔ）の機器内伝送ストリームに復元される。
【００８１】
続いて、機器内伝送ストリーム（２０ｂｉｔ、１５０ＭＨｚ）は、ストリーム分離部４２２によって、ビデオデータと、オーディオデータと、付随データとに分離される。そして、ビデオストリーム生成部４２３、オーディオストリーム生成部４２４、付随データストリーム生成部４２５においてそれぞれのストリームが生成される（例えば、ビデオストリームは、２０ｂｉｔ、１４８．５ＭＨｚのストリーム）。その後、生成された各ストリームは、各ストリームの処理回路に供給される。
【００８２】
このように、機器内伝送ストリームを機器内部で伝送することによって、伝送するストリームの数を減少させることができる。これにより、伝送に必要な配線の数を減少させることができる。
【００８３】
続いて、機器内伝送ストリームのデータ構造について、図５を参照して説明する。
【００８４】
［機器内伝送ストリームのデータ構造の一例］
図５は、本技術の第１の実施の形態の情報処理装置１００における機器内伝送ストリームのデータ構造の一例を示す模式図である。
【００８５】
同図（ａ）には、外部の装置から情報処理装置１００に送信されてビデオストリーム入力端子２９１から入力されるビデオストリームの１フレームにおけるデータ構造が模式的に示されている。このビデオストリームは、３Ｇ−ＳＤＩとして規定されているデータ構造により送信されたビデオストリームである。また、このビデオストリームにおける１フレームの大きさは、２０４８×１０８０画素である。同図（ａ）に示すように、規定された大きさのブランク期間（水平ブランキング５２１および垂直ブランキング５２２）が、１フレームのビデオデータ（有効映像領域５２３）ごとに設けられる。
【００８６】
また、水平ブランキング５２１の最後の４画素に相当するデータ領域には、ブランキング（ブランキング期間）が終わって有効映像領域５２３が始まることを識別するためのＳＡＶが設けられる。また、水平ブランキング５２１の最初の４画素に相当するデータ領域には、１ライン前のビデオデータの期間（有効映像領域５２３）が終わってブランキングが始まることを識別するためのＥＡＶが設けられる。同図（ａ）に示すようなデータ構造のビデオデータが１フレームの１ラインごとに送信されて、ビデオストリームを形成する。
【００８７】
同図（ｂ）には、ストリーム生成部３９０により生成されて、機器内を送受信される機器内伝送ストリームの１フレームにおけるデータ構造が模式的に示されている。なお、同図（ｂ）において示すデータ構造のうち、水平ブランキング５２１と、垂直ブランキング５２２と、有効映像領域５２３とは、同図（ａ）において示したものと同様のものであるため、ここでの説明を省略する。
【００８８】
この同図（ｂ）において示すデータ構造は、同図（ａ）において示したデータ構造に加えて、追加のブランキング（追加ブランキング５４０）を備えている。なお、追加ブランキング５４０以外は、同図（ａ）において示したデータ構造と同様である。このように、ストリーム生成部３９０は、３Ｇ−ＳＤＩとして規定されているデータ構造に、追加ブランキング５４０を追加したようなデータ構造のストリームを、機器内伝送ストリームとして生成する。すなわち、ストリーム生成部３９０は、ビデオデータを他の機器へ送信するための規格であるＳＤＩ規格のビデオストリームの１フレームのラインごとのデータ構造の所定位置に追加のブランキング期間を追加したようなデータ構造のストリームを、機器内伝送ストリームとして生成する。
【００８９】
次に、追加ブランキング５４０におけるデータについて、図６を参照して説明する。
【００９０】
［追加ブランキングのデータ構造の一例］
図６は、本技術の第１の実施の形態のストリーム生成部３９０により生成される機器内伝送ストリームの追加ブランキング５４０におけるデータ構造の一例を示す模式図である。
【００９１】
なお、同図では、１ライン分の追加ブランキング５４０におけるデータ構造を示す。また、同図では、説明の便宜上、付随データが無いことを想定して説明する。
【００９２】
同図には、１ライン分の追加ブランキング５４０におけるデータ構造として、コントロールヘッダ５４１と、オーディオパケット５４２乃至５４４と、パディング５４５とが示されている。
【００９３】
コントロールヘッダ５４１は、制御パケット生成部３７０が生成した制御パケットにより構成されるデータの期間であり、追加ブランキング５４０の開始位置に配置される。すなわち、機器内伝送ストリームから各ストリームを分離する際にこのコントロールヘッダ５４１を検出することにより、追加ブランキング５４０の開始が検出される。
【００９４】
オーディオパケット５４２乃至５４４は、オーディオデータパケット生成部３４５が生成したオーディオパケットを示す。例えば、オーディオパケット５４２乃至５４４は、３Ｇ−ＳＤＩのエンベデットオーディオと同様に、ＡＥＳ（Audio Engineering Society）規格のオーディオデータ構造のパケットである。オーディオデータパケット生成部３４５により生成されたオーディオパケットは、ストリーム生成部３９０によって、追加ブランキング５４０におけるコントロールヘッダ５４１の後（ストリームにおいて後から送信される側）に配置される。
【００９５】
パディング５４５は、追加ブランキングにおいて、意味のないデータにより構成されるデータ領域（期間）である。追加ブランキング５４０が特定の大きさの期間であるため、コントロールヘッダ５４１およびオーディオパケット５４２乃至５４４を配置して余った追加ブランキング５４０の期間は、意味のないデータにより埋められてパディング５４５となる。
【００９６】
なお、同図では、付随データを示さなかったが、追加ブランキング５４０に付随データを入れる場合には、オーディオパケット５４２乃至５４４のようにパケット化された付随データが、オーディオパケット５４２乃至５４４のように配置される。
【００９７】
ここで、ストリーム生成部３９０による機器内伝送ストリームの生成について、有効映像領域５２３の画素データを含む１ラインのデータを想定して、図５および図６を参照して説明する。まず、１つ前のラインの機器内伝送ストリームの生成が完了すると、制御部３６０は、次のラインの各データを、ビデオデータバッファ３３０、オーディオデータバッファ３４０、付随データバッファ３５０からストリーム生成部３９０に出力させる。なお、オーディオデータバッファ３４０が出力したオーディオデータはオーディオデータパケット生成部３４５によりパケット化され、付随データバッファ３５０が出力した付随データは、付随データパケット生成部３５５によりパケット化される。
【００９８】
また、制御部３６０は、このラインの水平ブランキング５２１におけるＥＡＶおよびＳＡＶをＴＲＳ生成部３８０に生成させ、ストリーム生成部３９０に出力させる。同様に、制御部３６０は、このラインのブランキングのＥＡＶおよびＳＡＶ以外の領域のデータと、追加ブランキング５４０におけるパディング５４５のデータとをブランク生成部３８５に生成させ、ストリーム生成部３９０に出力させる。
【００９９】
そして、制御部３６０は、ストリーム生成部３９０を制御して、１ラインにおけるデータ構造が図５および図６で示したようなデータ構造になるようにデータをまとめさせる。これにより、１ラインの左側（ストリームの先になる側）から順に、ＥＡＶ、ブランキング、ＳＡＶ、有効映像領域、コントロールヘッダ、オーディオパケット、付随データパケット（付随データがある場合）、パディングとなるようにデータがつなぎ合わせられる。このように、ＳＤＩ規格のビデオストリームに追加ブランキングが追加されることによって、ＳＤＩ規格のストリームに入れることができなかったオーディオストリームなどを含む１つのストリーム（機器内伝送ストリーム）が生成される。
【０１００】
［機器内伝送ストリームの効果例］
図７は、本技術の第１の実施の形態のストリーム生成部３９０により生成される機器内伝送ストリームを用いて機器内を伝送することによる効果の一例を示す模式図である。
【０１０１】
同図（ａ）には、１フレームのサイズが２０４８×１０８０画素であってオーディオデータの量が多い場合の機器内伝送ストリームのデータ構造が示されている。なお、追加ブランキング５４０におけるオーディオバケットの配置期間を模式的に示すオーディオ領域５５１以外は、図５（ｂ）において示したものと同様のものであるため、ここでの説明を省略する。
【０１０２】
オーディオ領域５５１に示すように、オーディオデータの量が多い場合には、オーディオ領域５５１が増加する一方で、追加ブランキング５４０のパディング領域が減少する。
【０１０３】
図７（ｂ）には、１フレームのサイズが２０４８×１０８０画素であって、オーディオデータの量が少ない場合の機器内伝送ストリームのデータ構造が示されている。この図７（ｂ）には、オーディオデータの量が少ない場合のオーディオバケットの領域を模式的に示すオーディオ領域５６１が示されている。
【０１０４】
オーディオ領域５６１に示すように、オーディオデータの量が少ない場合（例えば、サラウンドのチャンネル数が少ない場合）には、オーディオ領域５６１が減少する一方で、追加ブランキング５４０のパディング領域が増加する。すなわち、同図（ａ）および（ｂ）に示すように、機器内伝送ストリームを生成することにより、オーディオデータのデータ量の増減に係わらずに、ブランキングを含む１フレーム当たりのデータ量を所定の大きさに設定することができる。
【０１０５】
図７（ｃ）には、１フレームのサイズが１９２０×１０８０画素であって、オーディオデータの量が図７（ａ）と同じ場合の機器内伝送ストリームのデータ構造が示されている。ＳＤＩフォーマットにおいては、１フレームのサイズが２０４８×１０８０画素のデータ構造と、１フレームのサイズが１９２０×１０８０画素のデータ構造との違いは、水平ブランキングにおけるブランキングの長さが異なるだけである。すなわち、同図（ｃ）の水平ブランキング５７１は、同図（ａ）および（ｂ）の水平ブランキング５２１よりも期間が長い。しかしながら、オーディオデータのサイズによっては、この水平ブランキング５７１に入りきらない場合もある。このような場合においても、追加ブランキングの期間を追加することにより、入れることができなかったオーディオストリームを含む１つのストリーム（機器内伝送ストリーム）を生成することができる。
【０１０６】
このように、本技術の第１の実施の形態によれば、外部装置から供給された複数のストリームに基づいて機器内伝送ストリームを生成し、この生成した機器内伝送ストリームを機器内の他の基板（回路）に伝送することができる。すなわち、機器内を伝送させるストリームの数を減少させ、ストリームを機器内で伝送させるのに必要な配線の数を減少させることができる。
【０１０７】
＜２．第２の実施の形態＞
本技術の第１の実施の形態では、ビデオストリームと、オーディオストリームと、付随データストリームとが、それぞれ１系統であることを想定して説明した。なお、ビデオストリームを１系統で送受信できるのは、ＳＤＩ規格により定められたフレームサイズの上限までであり、フレームサイズがさらに高い場合（例えば、スーパーハイビジョン）には、１系統のビデオストリームで送受信することができない。
【０１０８】
このような場合において、ＳＤＩ規格を用いてストリームを送受信したい場合には、元のビデオストリームを複数の系統（ビデオストリーム）に分割して送受信することが行われる。
【０１０９】
そこで、本技術の第２の実施の形態では、ビデオストリームが４系統で送信される例について、図８乃至図１３を参照して説明する。
【０１１０】
［情報処理装置の構成例］
図８は、本技術の第２の実施の形態における情報処理装置１１０の構成例を示すブロック図である。この情報処理装置１００は、インターフェース基板６００と、信号処理回路基板７００とを備える。
【０１１１】
なお、同図では、ビデオストリームおよびオーディオストリームはそれぞれ４系統であり、付随データストリームは１系統であることを想定する。
【０１１２】
インターフェース基板６００は、４系統のビデオストリーム入力端子（第１Ｖ端子６９１乃至第４Ｖ端子６９４）と、４系統のオーディオストリーム入力端子（第１Ａ端子６９５乃至第４Ａ端子６９８）とを備える。さらに、インターフェース基板６００は、４系統のビデオストリーム変換部（第１ＶＳ変換部６１１乃至第４ＶＳ変換部６１４）と、４系統のオーディオストリーム変換部（第１ＡＳ変換部６２１乃至第４ＡＳ変換部６２４）とを備える。
【０１１３】
また、インターフェース基板６００は、４系統の機器内伝送ストリーム生成部（第１Ｓ生成部６５１乃至第４Ｓ生成部６５４）と、４系統のストリーム送信部（第１Ｓ送信部６５５乃至第４Ｓ送信部６５８）とを備える。なお、第１Ｖ端子６９１乃至第４Ｖ端子６９４は図１のビデオストリーム入力端子２９１に対応し、第１Ａ端子６９５乃至第４Ａ端子６９８は図１のオーディオストリーム入力端子２９２に対応する。また、第１ＶＳ変換部６１１乃至第４ＶＳ変換部６１４は図１のビデオストリーム変換部２１０に対応し、第１ＡＳ変換部６２１乃至第４ＡＳ変換部６２４は図１のオーディオストリーム変換部２２０に対応する。そして、第１Ｓ生成部６５１乃至第４Ｓ生成部６５４は図１の機器内伝送ストリーム生成部３００に対応し、第１Ｓ送信部６５５乃至第４Ｓ送信部６５８は図１のストリーム送信部２７０に対応する。
【０１１４】
また、インターフェース基板６００は、図１のインターフェース基板２００と同様に、付随データストリーム入力端子２９３と、付随データストリーム変換部２３０と、ベースバンドクロック生成部２４０とを備える。さらに、インターフェース基板６００は、図１のインターフェース基板２００と同様に、ストリームクロック（ＳＣＬＫ）生成部２５０と、機器内伝送クロック（ＣＬＫ）生成部２６０とを備える。
【０１１５】
また、インターフェース基板６００は、ビデオデータ書込部６３０と、ビデオデータ取得部６４０と、フレーム復元部６８０とを備える。なお、ビデオデータ書込部６３０、ビデオデータ取得部６４０およびフレーム復元部６８０以外の各構成は、図１において示した各構成にそれぞれ対応する。このため、図８では、ビデオデータ書込部６３０、ビデオデータ取得部６４０およびフレーム復元部６８０に着目して説明する。
【０１１６】
ビデオデータ書込部６３０は、第１Ｖ端子６９１乃至第４Ｖ端子６９４を介して入力された４系統のビデオストリームを、１フレームごとにフレーム復元部６８０に書き込むものである。このビデオデータ書込部６３０は、フレーム復元部６８０におけるＤＲＡＭ（Dynamic Random Access Memory）にビデオデータを書き込むことにより４系統に分割される前のフレームを復元する。なお、このビデオデータ書込部６３０については、図９を参照して説明するため、ここでの説明を省略する。また、このビデオデータ書込部６３０によるＤＲＡＭへのビデオデータの書き込みについては、図１１を参照して説明するため、ここでの説明を省略する。なお、ビデオデータ書込部６３０は、特許請求の範囲に記載の復元部の一例である。
【０１１７】
ビデオデータ取得部６４０は、フレーム復元部６８０から１フレームごとのビデオデータを取得して、取得したビデオデータを４つに分割して４系統のストリーム生成部（第１Ｓ生成部６５１乃至第４Ｓ生成部６５４）に分配するものである。すなわち、ビデオデータ取得部６４０は、第１Ｖ端子６９１乃至第４Ｖ端子６９４に入力された４系統のビデオストリームにおけるフレームの分割方式とは異なるフレームの分割方式にビデオストリームを再分割し、新たな４つのビデオストリームを生成する。なお、このビデオデータ取得部６４０によるフレームの再分割については、図１２乃至図１３を参照して説明するため、ここでの説明を省略する。なお、ビデオデータ取得部６４０は、特許請求の範囲に記載の分割部の一例である。
【０１１８】
フレーム復元部６８０は、ビデオデータ取得部６４０から供給されたビデオデータを一時的に保持し、外部装置において４系統のビデオストリームに分割される前のフレームを復元するものである。また、フレーム復元部６８０は、フレームを復元した後に、保持するビデオデータをビデオデータ取得部６４０に供給する。なお、このフレーム復元部６８０は、図９を参照して説明するためここでの説明を省略する。
【０１１９】
信号処理回路基板７００は、４系統のストリーム受信部（第１Ｓ受信部７１１乃至第４Ｓ受信部７１４）を備える。また、信号処理回路基板７００は、４系統の機器内伝送ストリーム分離部（第１Ｓ分離部７２１乃至第４Ｓ分離部７２４）を備える。なお、第１Ｓ受信部７１１乃至第４Ｓ受信部７１４は図１のストリーム受信部４１０に対応し、第１Ｓ分離部７２１乃至第４Ｓ分離部７２４は図１の機器内伝送ストリーム分離部４２０に対応する。
【０１２０】
また、信号処理回路基板７００は、図１の信号処理回路基板４００と同様に、ビデオプロセッサ４４０と、オーディオプロセッサ４５０と、システムコントローラ４６０とを備える。なお、信号処理回路基板７００の各構成は、図１において示したものにそれぞれ対応するため、ここでの説明を省略する。
【０１２１】
続いて、ビデオデータ書込部６３０、ビデオデータ取得部６４０およびフレーム復元部６８０について、図９を参照して説明する。
【０１２２】
［ビデオデータ書込部およびビデオデータ取得部の構成例］
図９は、本技術の第２の実施の形態におけるビデオデータ書込部６３０、ビデオデータ取得部６４０およびフレーム復元部６８０の構成例を示すブロック図である。
【０１２３】
同図では、図８において示したビデオデータ書込部６３０と、ビデオデータ取得部６４０と、フレーム復元部６８０との間におけるデータの送受信に着目して説明する。なお、図８では、ビデオデータ書込部６３０、ビデオデータ取得部６４０およびフレーム復元部６８０の間にはビデオデータに関する信号線のみを示したが、図９では、制御に関する信号線も加えて示す。
【０１２４】
同図では、ビデオデータ書込部６３０と、ビデオデータ取得部６４０と、フレーム復元部６８０とが示されている。
【０１２５】
ビデオデータ書込部６３０は、第１時間軸補正部６３１乃至第４時間軸補正部６３４を備える。また、フレーム復元部６８０は、アービタ６８１と、メモリコントローラ６８２と、分割制御部６８３と、ＤＲＡＭ６８４とを備える。
【０１２６】
第１時間軸補正部６３１乃至第４時間軸補正部６３４は、第１ＶＳ変換部６１１乃至第４ＶＳ変換部６１４から供給された４系統のビデオストリームの間の時間軸を合わせるものである。また、第１時間軸補正部６３１乃至第４時間軸補正部６３４は、時間軸を合わせた後にアービタ６８１からの命令を受信すると、ＤＲＡＭ６８４に書き込むビデオデータをメモリコントローラ６８２に供給する。この第１時間軸補正部６３１乃至第４時間軸補正部６３４は、例えば、ＴＢＣ（Time Base Corrector）により実現される。
【０１２７】
アービタ６８１は、ＤＲＡＭ６８４へのアクセス（データの書き込みまたは読み出し（取得））を調停（アービトレーション）するものである。このアービタ６８１は、クライアント（第１時間軸補正部６３１乃至第４時間軸補正部６３４およびビデオデータ取得部６４０）がＤＲＡＭ６８４へアクセスしたい場合には、そのクライアントが発行したＤＲＡＭ６８４へのアクセス要求（リクエスト信号）を、信号線６８９を介して受信する。そして、アービタ６８１は、受信したリクエストのうちからＤＲＡＭ６８４へのアクセスを許可するリクエストを決定（調停）し、アクセスの許可信号（グラント信号）を、そのリクエストを発行したクライアントへ信号線６８８を介して供給する。また、アービタ６８１は、ＤＲＡＭ６８４へのアクセスを許可したリクエストをメモリコントローラ６８２に供給し、そのリクエストによるＤＲＡＭ６８４へのアクセスを実行させる。
【０１２８】
すなわち、アービタ６８１は、１フレーム分のビデオデータをＤＲＡＭ６８４に保持させる場合には、第１時間軸補正部６３１乃至第４時間軸補正部６３４のいずれかにグラント信号を供給し、ＤＲＡＭ６８４に保持させるビデオデータを出力させる。また、アービタ６８１は、ＤＲＡＭ６８４に保持された１フレーム分のビデオデータを取得する場合には、ビデオデータ取得部６４０にグラント信号を供給し、ビデオデータを取得させる。
【０１２９】
メモリコントローラ６８２は、ＤＲＡＭ６８４へのアクセスを制御するものである。このメモリコントローラ６８２は、例えば、第１時間軸補正部６３１が発行したリクエストによるアクセスがアービタ６８１により許可された場合には、第１時間軸補正部６３１が出力したビデオデータをＤＲＡＭ６８４に書き込む。
【０１３０】
分割制御部６８３は、ＤＲＭ６８４から読み出したビデオデータの４系統への再分割を制御するものである。例えば、分割制御部６８３は、ビデオデータの分割方式に応じた制御パターンを複数保持する。そして、分割制御部６８３は、指定された分割方式の制御パターンに基づいて、アービタ６８１と、メモリコントローラ６８２と、ビデオデータ取得部６４０とを制御する。これにより、再分割された新たな４系統のビデオストリームをビデオデータ取得部６４０に生成させる。このように、分割制御部６８３に複数の複数の分割方式の制御パターンを保持させることにより、外部装置において分割されたビデオデータの分割方式をインターフェース基板６００において変更することができる。
【０１３１】
ＤＲＡＭ６８４は、ビデオデータ書込部６３０が供給したデータが書き込まれ、また、ビデオデータ取得部６４０によりデータが読み出される記憶装置である。
【０１３２】
［情報処理装置に供給される４系統のビデオストリームの例］
図１０は、本技術の第２の実施の形態における情報処理装置１１０に外部装置から供給される４系統のビデオストリームの一例を示す模式図である。
【０１３３】
同図（ａ）には、外部装置が４系統に分割する前のビデオストリームの１フレーム（画像８１０）が示されている。この画像８１０のサイズは、横が３８４０画素であり、縦が２１６０画素の画像である。このサイズ（３８４０×２１６０画素の）の画像により構成されるビデオストリームは、１系統のＳＤＩ規格のビデオストリームとして送信することができない。そこで、外部装置は、３８４０×２１６０画素のサイズの画像を４分割（例えば、右上、右下、左上、左下の４つのサブフレームに分割）して４系統のＳＤＩ規格のビデオストリームを生成し、この４系統のビデオストリームを情報処理装置１１０に供給する。
【０１３４】
同図（ｂ）には、４系統のビデオストリームにおける１フレームがそれぞれ模式的に示されている。
【０１３５】
第１ビデオストリーム画像８２０は、第１Ｖ端子６９１に入力されるビデオストリーム（第１ビデオストリーム）の１フレームを示す。この第１ビデオストリーム画像８２０は、同図（ａ）において示した画像８１０を４分割した画像のうちの左上の画像である。すなわち、第１ビデオストリームは、画像８１０の左上の１９２０×１０８０画素の領域の画像が時系列順に連続しているデータである。
【０１３６】
第１ビデオストリーム画像８２０と同様に、第２ビデオストリーム画像８３０は第２Ｖ端子６９２に入力される第２ビデオストリームを示し、第３ビデオストリーム画像８４０は第３Ｖ端子６９３の第３ビデオストリームを示す。また、第４ビデオストリーム画像８５０は第４Ｖ端子６９４に入力される第４ビデオストリームを示す。そして、第２ビデオストリームは画像８１０の右上に対応し、第３ビデオストリームは画像８１０の左下に対応し、第４ビデオストリームは画像８１０の右下に対応する。
【０１３７】
なお、同図（ｂ）では、第１ビデオストリーム画像８２０を濃い灰色を付した矩形で示し、第２ビデオストリーム画像８３０を細かい点を付した矩形で示している。また、第３ビデオストリーム画像８４０を点を少なく付した矩形で示し、第４ビデオストリーム画像８５０は網目を付した矩形で示している。また、これら画像には、画素を模式的に示す矩形（画素８２１、８３１、８４１、８５１）が、画素番号と共に示されている。なお、以降の図面において示すこれらの模様を付した矩形は、その画素の由来（外部装置から送信された４系統のビデオストリームのどれが由来か）を示すこととする。
【０１３８】
［ＤＲＡＭに保持される１フレームのメモリマップ例］
図１１は、本技術の第２の実施の形態におけるＤＲＡＭ６８４に保持される画像（フレーム）のメモリマップの一例を示す模式図である。
【０１３９】
同図（ａ）には、図１０（ｂ）において示した４系統のビデオストリーム（１フレームが１９２０×１０８０画素）に基づいてＤＲＡＭ６８４に保持される１フレームのメモリマップ（メモリマップ画像８６１）の一例が示されている。また、図１１（ｂ）には、１フレームが２０４８×１０８０画素の４系統のビデオストリームに基づいてＤＲＡＭ６８４に保持される１フレームのメモリマップ（メモリマップ画像８６２）の一例が示されている。
【０１４０】
また、同図（ａ）および（ｂ）には、ＤＲＡＭ６８４におけるカラム方向（同図の左右方向）のメモリアドレス（０ｘ０、０ｘ２０、０ｘ２００、０ｘ３ｆｆおよび０ｘ３ｅ０番地）が、メモリマップ画像８６２の左端を基準（０ｘ０番地）として示されている。
【０１４１】
ここで、ビデオデータ書込部６３０によるＤＲＡＭ６８４へのビデオデータの書き込みについて説明する。ビデオデータ書込部６３０は、４系統のビデオストリームで送信するために４分割される前のフレームを、ＤＲＡＭ６８４のメモリマップ上において復元する。この書き込みの際に、ライン途中（同図の左右方向の途中）でデータが途切れないように書き込む。なお、同図（ｂ）に示すようにインターフェース基板６００に複数のサイズのフレームが供給される場合を予め想定し、フレームの画素数が異なる場合においてもライン途中でデータが途切れないように書き込む。
【０１４２】
例えば、同図（ａ）および（ｂ）に示すように、４分割画像のうち右上および右下の画像の左端が、０ｘ２００番地になるように書き込む。また、この書き込みとともに、４分割画像の左上および左下の画像の右端が、０ｘ２００の１つ前の番地になるように書き込む。すなわち、４分割画像のつなぎ目となる番地（例えば、０ｘ２００番地）を予め設定して、この番地を基準としてＤＲＡＭ６８４に書き込むことにより、ライン途中においてデータが途切れないようにＤＲＡＭ６８４に書き込むことができる。
【０１４３】
このように、ライン途中においてデータが途切れないようにＤＲＡＭ６８４に書き込むことにより、ビデオデータ取得部６４０が読み出す際に、バースト転送を用いて読み出すことができ、これにより、読み出しを高速にすることができる。
【０１４４】
［ＤＲＡＭからの読み出し時における分割方式の変換例］
図１２および図１３は、本技術の第２の実施の形態におけるＤＲＡＭ６８４に保持された画像をビデオデータ取得部６４０が読み出す際における分割方式の変換の一例を示す模式図である。
【０１４５】
なお、図１２および図１３において説明するビデオデータ取得部６４０による分割形式の変換は、信号処理回路基板７００におけるビデオプロセッサ４４０の画像処理に有利なように変換される。このため、変換の方式としては、ビデオプロセッサ４４０の種類に応じて種々の例が考えられるが、ここでは、一例として、縦ラインを順番に４つに分類する方式を図１２において示し、２×２画素を４つに分割する方式を図１３において示す。
【０１４６】
図１２では、縦ラインを順番に４つに分類する例が同図（ａ）に示され、この方式により生成された４系統のビデオストリーム（機器内伝送用ビデオストリーム）のデータ構造を示す画像が同図（ｂ）に示されている。
【０１４７】
同図（ａ）では、ＤＲＡＭ６８４から読み出された一連のデータを画素単位で示すデータ列（読み出しデータ列９１１）と、このデータ列がビデオデータ取得部６４０により分割された４つのデータ列（第１データ列９１２乃至第４データ列９１５）とが示されている。なお、読み出しデータ列９１１では、一例として、１２個（１乃至１２番）の画素のデータ列を示す。そして、この１２個の画素の４系統への分割例を、第１データ列９１２乃至第４データ列９１５において示す。
【０１４８】
ここで、ビデオデータ取得部６４０による分割形式の変換について説明する。ビデオデータ書込部６３０により、１フレーム分のビデオデータがＤＲＡＭ６８４に書き込まれると、ビデオデータ取得部６４０は、このフレーム分のビデオデータの取得を開始する。例えば、図１１（ａ）の左上の画素のデータ（１番）から右に向けて順に（２、３、４・・・）、データが読み出される。そして、この読み出されたデータ（読み出しデータ列９１１）は、ビデオデータ取得部６４０により、分割制御部６８３により指定された分割方式に従って４つのデータ列（第１データ列９１２乃至第４データ列９１５）に分割される。
【０１４９】
図１２では、縦ラインを順番に４つに分類する分割方式（列単位分割方式）であるため、１、５、９番の画素データが第１データ列９１２とされ、２、６、１０番の画素データが第２データ列９１３とされる。また、３、７、１１番の画素データが第３データ列９１４とされ、４、８、１２番の画素データが第４データ列９１５とされる。そして、この４つのデータ列は、４系統の機器内伝送用ビデオストリームとして、第１Ｓ生成部６５１乃至第４Ｓ生成部６５４にそれぞれ供給される。
【０１５０】
同図（ｂ）では、４系統の機器内伝送用ビデオストリームにおける１フレームをそれぞれが示す４つの画像（第１ビデオストリーム画像９２１乃至第４ビデオストリーム画像９２４）が示されている。
【０１５１】
第１ビデオストリーム画像９２１乃至第４ビデオストリーム画像９２４に示すように、列単位で４系統に分割すると、１フレームのサイズは、横が９６０画素、縦が２１６０画素となる。ビデオプロセッサは、このように分割されたストリームを受信することにより、第１ビデオストリーム乃至第４ビデオストリームから交互に画素のデータを取得すればフレームが作成できるため、ビデオプロセッサにおける処理の遅延が少なくなる。
【０１５２】
図１３では、２×２画素を４つに分割する例が同図（ａ）に示され、この方式により生成された４系統のビデオストリームにおけるデータ構造を示す画像が同図（ｂ）に示されている。
【０１５３】
同図（ａ）では、２×２画素を４つに分割する方式（２画素インターリーブ方式）を説明するために、ＤＲＡＭ６８４から読み出された２行のデータ列（読み出しデータ列９３１）が示されている。また、同図（ａ）では、このデータ列がビデオデータ取得部６４０により分割された４つのデータ列（第１データ列９３２乃至第４データ列９３６）が示されている。
【０１５４】
ここで、ビデオデータ取得部６４０による２画素インターリーブ方式の変換について説明する。２画素インターリーブ方式では、２行×２列における４画素が別系統になるように分割される。例えば、読み出しデータ列９３１の左２列の画素（１、２、１９２１、１９２２番）がそれぞれ別系統になる。このように、２行×２列における４画素が別系統になるように分割することにより、１、３、５番の画素データが第１データ列９３２とされ、２、４、６番の画素データが第２データ列９３３とされる。また、１９２１、１９２３、１９２５番の画素データが第３データ列９３４とされ、１９２２、１９２４、１９２６番の画素データが第４データ列９３５とされる。
【０１５５】
同図（ｂ）では、４系統の機器内伝送用ビデオストリームにおける１フレームをそれぞれが示す４つの画像（第１ビデオストリーム画像９４１乃至第４ビデオストリーム画像９４４）が示されている。
【０１５６】
第１ビデオストリーム画像９４１乃至第４ビデオストリーム画像９４４に示すように、２行×２列単位で４系統に分割すると、１フレームのサイズは、横が１９２０画素、縦が１０８０画素となる。また、２行×２列単位で４系統に分割することにより、それぞれの系統における画像は、元の画像が１／４に縮小されたような画像となる。すなわち、ビデオプロセッサは、このように分割されたストリームを受信することにより、１つのストリームにおいて何か問題が発生した場合においても、補完処理をすることで元の画像に近い画像を生成することができる。
【０１５７】
図１２および図１３に示したように、ＤＲＡＭ６８４に１フレーム単位でビデオデータを保持することにより、ビデオデータ取得部６４０によるビデオデータの取得の際に分割方式を変換することができる。
【０１５８】
このように、本技術の第２の実施の形態によれば、複数の系統のビデオストリームが外部装置から供給される場合においても、機器内伝送ストリームを生成し、この生成した機器内伝送ストリームを機器内の他の基板（回路）に伝送することができる。すなわち、本技術の第１の実施の形態と同様に、複数の系統のストリームの機器内部における伝送に係る信号線の増加を抑制することができる。
【０１５９】
また、本技術の第２の実施の形態によれば、機器内伝送ストリームを生成する際に、ビデオデータの分割方式を容易に変換することができる。これにより、仕様が異なる複数の機器のインターフェース基板を設計する場合において、同じ回路設計において構成できる可能性を向上させることができる。
【０１６０】
＜３．第３の実施の形態＞
本技術の第１および第２の実施の形態では、外部装置が送信した３つのストリームを信号処理回路基板４００に伝送するために、インターフェース基板が機器内伝送ストリームを生成する例について説明した。しかしながら、これに限定されるものではなく、３つのストリームを外部装置に送信するために信号処理回路基板が機器内伝送ストリームを生成し、インターフェース基板が受信する場合も考えられる。このような場合においても、本技術の第１および第２の実施の形態と同様に、機器内伝送ストリームを送受信することにより、複数の系統のストリームの機器内部における伝送に係る信号線の増加を抑制することができる。
【０１６１】
そこで、信号処理回路基板が機器内伝送ストリームを生成し、インターフェース基板が受信する例について、本技術の第３の実施の形態として図１４および図１５を参照して説明する。
【０１６２】
［情報処理装置の構成例］
図１４は、本技術の第３の実施の形態における情報処理装置１２０の構成例を示すブロック図である。この情報処理装置１００は、信号処理回路基板４０９と、インターフェース基板２０９とを備える。
【０１６３】
信号処理回路基板４０９は、ビデオプロセッサ４４５と、オーディオプロセッサ４５５と、システムコントローラ４６５と、機器内伝送ストリーム生成部３０１と、ストリーム送信部４０１とを備える。また、信号処理回路基板４０９は、ベースバンドクロック生成部２４９と、ストリームクロック生成部２５９と、機器内伝送クロック生成部２６９とを備える。
【０１６４】
ベースバンドクロック生成部２４９、ストリームクロック生成部２５９および機器内伝送クロック生成部２６９は、図１において示したベースバンドクロック生成部２４０、ストリームクロック生成部２５０および機器内伝送クロック生成部２６０に対応する。このため、ここでの説明を省略する。
【０１６５】
ビデオプロセッサ４４５は、外部装置に伝送するためのビデオストリームを機器内伝送ストリーム生成部３０１に送信する以外は、図１において示したビデオプロセッサ４４０と同様のものである。同様に、オーディオプロセッサ４５５は、外部装置に伝送するためのオーディオストリームを機器内伝送ストリーム生成部３０１に送信する以外は、図１において示したオーディオプロセッサ４５０と同様のものである。そして、システムコントローラ４６５は、外部装置に伝送するための付随データストリームを機器内伝送ストリーム生成部３０１に送信する以外は、図１において示したシステムコントローラ４６０と同様のものである。
【０１６６】
機器内伝送ストリーム生成部３０１は、図２において示したインターフェース基板２００の機器内伝送ストリーム生成部３００と同様に、機器内伝送ストリームを生成するものである。すなわち、この機器内伝送ストリーム生成部３０１は、ビデオプロセッサ４４５、オーディオプロセッサ４５５およびシステムコントローラ４６５から供給された各ストリームに基づいて、機器内伝送ストリームを生成する。機器内伝送ストリーム生成部３０１は、生成した機器内伝送ストリームをストリーム送信部４０１に供給し、インターフェース基板２０９へ信号線２０５を介して伝送させる。また、機器内伝送ストリーム生成部３０１は、機器内伝送ストリーム情報を信号線２０８を介してインターフェース基板２０９に供給する。なお、機器内伝送ストリーム生成部３０１およびストリーム送信部４０１の構成については、図２において示した機器内伝送ストリーム生成部３００およびストリーム送信部２７０と同様であるため、ここでの説明を省略する。
【０１６７】
インターフェース基板２０９は、情報処理装置１００と外部装置との間におけるデータの送受信を介在するための基板であり、本技術の第３の実施の形態では、３つのストリームを外部装置へ出力する。なお、インターフェース基板２０９の各構成については、図１５を参照して説明するため、ここでの説明を省略する。
【０１６８】
［インターフェース基板の構成例］
図１５は、本技術の第３の実施の形態におけるインターフェース基板２０９の構成例を示すブロック図である。
【０１６９】
インターフェース基板２０９は、ストリーム受信部２７５と、ベースバンドクロック生成部２４５と、外部出力ストリーム生成部２８０と、ビデオストリーム送信クロック生成部２４６と、ビデオストリーム変換部２１５とを備える。また、インターフェース基板２００は、オーディオストリーム変換部２２５と、付随データストリーム変換部２３５と、ビデオストリーム出力端子２９４と、オーディオストリーム出力端子２９５と、付随データストリーム出力端子２９６とを備える。
【０１７０】
ストリーム受信部２７５は、ストリームデータ入力部２７６と、ビット幅変換部２７７と、クロック入力部２７８とを備える。なお、ストリーム受信部２７５の各構成は、図３において示したストリーム受信部４１０と同様のものである。すなわち、ストリーム受信部２７５は、信号線２０７を介して供給された機器内伝送ストリームのビット幅を変換し、ビット幅を変換した機器内伝送ストリームを外部出力ストリーム生成部２８０のストリーム分離部２８１に供給する。また、ストリーム受信部２７５は、機器内伝送ストリームのクロック（ストリームクロック）を、ベースバンドクロック生成部２４５に供給する。
【０１７１】
ベースバンドクロック生成部２４５は、図１において示したベースバンドクロック生成部２４０と同様に、ビデオストリームのベースバンドクロックを生成するものである。このベースバンドクロック生成部２４５は、ストリームクロックに基づいてベースバンドクロックを生成する。ベースバンドクロック生成部２４５は、生成したベースバンドクロックを外部出力ストリーム生成部２８０およびビデオストリーム送信クロック生成部２４６に供給する。
【０１７２】
外部出力ストリーム生成部２８０は、ストリーム分離部２８１と、制御部２８２と、ビデオデータバッファ２８３と、オーディオデータバッファ２８４と、付随データバッファ２８５とを備える。また、外部出力ストリーム生成部２８０は、ＴＲＳ生成部２８６と、ブランク生成部２８７と、ビデオストリーム合成部２８８と、ストリーム情報解析部２８９とを備える。
【０１７３】
ストリーム情報解析部２８９は、図３において示したストリーム情報解析部４２１と同様に機器内伝送ストリーム情報を解析するものであり、データを分離させるための選択制御信号を、ストリーム分離部２８１に供給する。
【０１７４】
ストリーム分離部２８１は、図３において示したストリーム分離部４２２と同様に、機器内伝送ストリームを各データ（ビデオ、オーディオ、付随データ）に分離するものである。ストリーム分離部２８１は、分離したビデオデータを、ビデオデータバッファ２８３に供給し、分離したオーディオデータをオーディオデータバッファ２８４に供給し、分離した付随データを付随データバッファ２８５に供給する。
【０１７５】
制御部２８２は、情報処理装置１００から外部装置に送信（出力）するＳＤＩ規格のビデオストリーム（出力ビデオストリーム）の生成を制御するものである。この制御部２８２は、ＴＲＳ生成部２８６と、ブランク生成部２８７と、ビデオデータバッファ２８３とからビデオストリーム合成部２８８に供給されるデータの供給タイミングを制御する。また、制御部２８２は、ビデオストリーム合成部２８８に選択制御信号を供給し、ビデオストリーム合成部２８８に供給された複数のデータをビデオストリームのデータ構造へ整列させて出力させる制御をビデオストリーム合成部２８８に対して行う。
【０１７６】
ビデオデータバッファ２８３は、ストリーム分離部２８１から供給されたビデオデータを保持し、保持するビデオデータを、制御部２８２からの命令に基づいてビデオストリーム合成部２８８に供給する。
【０１７７】
オーディオデータバッファ２８４は、ストリーム分離部２８１から供給されたオーディオデータを保持し、保持するオーディオデータを、オーディオストリーム変換部２２５に供給する。
【０１７８】
付随データバッファ２８５は、ストリーム分離部２８１から供給された付随データを保持し、保持する付随データを、付随データストリーム変換部２３５に供給する。
【０１７９】
ＴＲＳ生成部２８６は、制御部２８２からの命令に基づいて、情報処理装置１００から外部装置に送信するビデオストリームのＴＲＳを生成するものである。このＴＲＳ生成部２８６は、生成したＴＲＳをビデオストリーム合成部２８８に供給する。
【０１８０】
ブランク生成部２８７は、制御部２８２からの命令に基づいて、情報処理装置１００から外部装置に送信するビデオストリームのブランキングにおけるＴＳＲ以外のデータを生成するものである。このブランク生成部２８７は、生成したデータをビデオストリーム合成部２８８に供給する。
【０１８１】
ビデオストリーム合成部２８８は、供給された複数のデータを整列させてＳＤＩ規格のビデオストリームを生成するものであり、生成したビデオストリーム（出力ビデオストリーム）を、ビデオストリーム変換部２１５に供給する。
【０１８２】
ビデオストリーム送信クロック生成部２４６は、出力ビデオストリームを外部装置に送信する際のクロックを生成するものであり、生成したクロックを、ビデオストリーム変換部２１５に供給する。
【０１８３】
ビデオストリーム変換部２１５は、ビデオストリーム合成部２８８が合成した出力ビデオストリームを、外部装置へ出力するビット幅のデータに変換するものである。このビデオストリーム変換部２１５は、変換した出力ビデオストリームを、ビデオストリーム送信クロック生成部２４６が生成したクロックに乗せて、ビデオストリーム出力端子２９４に接続されたケーブルを介して外部装置に出力する。なお、ビデオストリーム変換部２１５は、特許請求の範囲に記載のビデオストリーム送信部の一例である。
【０１８４】
オーディオストリーム変換部２２５は、オーディオデータバッファ２８４から取得したオーディオデータに基づいて、外部装置へ出力するオーディオストリームを生成するものである。オーディオストリーム変換部２２５は、生成したオーディオストリームを、オーディオストリーム出力端子２９５に接続されたケーブルを介して外部装置に出力する。
【０１８５】
付随データストリーム変換部２３５は、付随データバッファ２８５から取得した付随データに基づいて、外部装置へ出力する付随データストリームを生成するものである。付随データストリーム変換部２３５は、生成した付随データストリームを、付随データストリーム出力端子２９６に接続されたケーブルを介して外部装置に出力する。なお、オーディオストリーム変換部２２５および付随データストリーム変換部２３５は、特許請求の範囲に記載の関連データストリーム送信部の一例である。
【０１８６】
ビデオストリーム出力端子２９４は、出力ビデオストリームを外部装置へ出力するためのケーブルを接続するための端子である。同様に、オーディオストリーム出力端子２９５はオーディオストリームを出力するためのケーブルを接続するための端子であり、付随データストリーム出力端子２９６は付随データストリームを出力するためのケーブルを接続するための端子である。
【０１８７】
このように、本技術の第３の実施の形態によれば、外部出力するための３つのストリームを機器内伝送ストリームから生成することができる。
【０１８８】
なお、図１４および図１５では、本技術の第１の実施の形態のようにビデオストリームが１系統の例について説明したが、本技術の第２の実施の形態のようにビデオストリームが複数の系統の場合についても同様に適用することができる。また、本技術の第２の実施の形態については、入力側で用いるＤＲＡＭと、出力側で用いるＤＲＡＭとを共有させることにより、必要な回路（ＤＲＡＭ、アービタ、メモリコントローラ等）の数を少なくすることができる。
【０１８９】
このように、本技術の実施の形態によれば、機器内において機器内伝送ストリームを送受信することにより、複数の系統のストリームの機器内部における伝送に係る信号線の増加を抑制することができる。特に、機器内部において伝送されるストリームの数を減少させることにより、ストリームの伝送に関する信号ピンの数、コネクタの数、などを減少させることができ、コストダウンや歩留まりの改善を行うことができる。
【０１９０】
また、本技術の実施の形態によれば、追加ブランキングに収まるサイズであれば、オーディオデータのサイズの変化に応じて回路設計を変更する必要がなくなる。すなわち、同じ設計の電子回路（インターフェース基板）を複数の機器で使用することができる。これにより、機器仕様ごとに設計および評価を行う必要が減少し、設計生産性を向上させることができる。
【０１９１】
また、本技術の第２の実施の形態によれば、インターフェース基板にＤＲＡＭを設けることにより、インターフェース基板において分割方式を変換することができる。これにより、信号処理回路基板が必要とする分割方式に応じて回路設計を変更する必要がなくなる。すなわち、同じ設計のインターフェース基板を複数の機器で使用することができ、コストダウン、歩留まりの改善、設計生産性の改善などを行うことができる。
【０１９２】
すなわち、外部入力の基板（インターフェース基板）と、処理回路の基板（信号処理回路基板）とを、処理するデータの大きさに応じて機器ごとに設計していた従来の技術と比較して、本技術の実施の形態によれば機器ごとの設計を減少させることができる。
【０１９３】
なお、本技術の実施の形態では、ビデオストリームには、オーディオデータおよび付随データは含まれていないことを想定したが、これに限定されるものではない。含まれている場合においても、それらを含んだ機器内伝送ストリームを生成することにより、本技術の実施の形態と同様に適用することができる。
【０１９４】
また、本技術の実施の形態では、外部装置から送信されたビデオストリームのビデオデータには何もデータ処理しないことを想定したが、これに限定されるものではない。例えば、ＲＧＢ形式をＹＵＶ形式に変換する必要がある場合が考えられる。この場合には、図２において示したビデオストリーム変換部２１０がビデオストリームをビデオデータバッファ３３０に保持する前に、色空間変換（ＣＳＣ：Color Space Converter）演算回路を用いてＹＵＶ形式に変換することにより、同様に実施することができる。
【０１９５】
また、本技術の実施の形態では、機器内伝送ストリーム情報を送受信することにより、機器内伝送ストリームのデータ構造を伝えたが、これに限定されるものではない。例えば、機器内伝送ストリーム情報に含まれる情報を機器内伝送ストリームのブランキングに入れる場合も考えられる。
【０１９６】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０１９７】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ハードディスク、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１９８】
なお、本技術は以下のような構成もとることができる。
（１）  装置間で動画データを送受信するために予め定められたデータ構造に従って動画期間およびブランキング期間を１フレームのデータ構造ごとに含むビデオストリームと前記動画データに関連する関連データを含む関連データストリームとに基づいて、前記関連データを格納するための所定のサイズの追加ブランキング期間を前記ビデオストリームの１フレームごとに追加したデータ構造の多重化ストリームを生成するストリーム生成部と、
前記生成された多重化ストリームを他の集積回路へ送信する送信部と
を具備する集積回路。
（２）  前記追加ブランキング期間には、前記追加ブランキング期間の位置を識別するための識別情報と前記関連データとパディングとが格納され、
前記ストリーム生成部は、前記関連データのサイズに応じて前記パディングの量を増減させて前記追加ブランキング期間を生成する
前記（１）に記載の集積回路。
（３）  前記関連データストリームは、前記動画データに関連付けられているオーディオデータを前記関連データとして含む前記（１）に記載の集積回路。
（４）  送受信するために１フレームを複数のサブフレームに分割することにより生成された複数の前記ビデオストリームに基づいて前記分割される前のフレームを復元する復元部と、
前記復元されたフレームについて、前記分割において行われた分割方式とは異なる分割方式に基づいて再分割して、新たな複数のビデオストリームを生成する分割部とをさらに具備し、
前記ストリーム生成部は、前記新たな複数のビデオストリームごとに前記多重化ストリームを複数生成し、
前記送信部は、前記他の集積回路へ前記生成された複数の多重化ストリームを送信する
前記（１）から（３）のいずれかに記載の集積回路。
（５）  前記復元部による復元対象となるビデオストリームは、１フレームを４分割して生成されたストリームであり、
前記分割部は、前記復元されたフレームにおける各画素のデータを、当該復元されたフレームの所定方向に連続している４画素単位で交互に順次分類することにより、４系統の新たなビデオストリームを前記新たな複数のビデオストリームとして生成する
前記（４）に記載の集積回路。
（６）  前記復元部による復元対象となるビデオストリームは、１フレームを４分割して生成されたストリームであり、
前記分割部は、前記復元されたフレームにおける各画素のデータを、当該復元されたフレームの所定方向に連続している２画素単位で交互に順次分類するとともに、前記所定方向に直交する方向に連続している２ライン単位で交互に順次分類することにより、４系統の新たなビデオストリームを前記新たな複数のビデオストリームとして生成する
前記（４）に記載の集積回路。
（７）  動画データの関連データを格納するための所定のサイズの追加ブランキング期間を装置間における前記動画データの送受信のために予め定められたデータ構造に追加した多重化ストリームを受信するストリーム受信部と、
前記受信された多重化ストリームに含まれている動画データおよび関連データを分離する分離部と、
前記予め定められたデータ構造のビデオストリームに前記分離された動画データを格納して送信するビデオストリーム送信部と、
前記関連データを装置間で送受信するためのデータ構造の関連データストリームに前記分離された関連データを格納して送信する関連データストリーム送信部と
を具備する集積回路。
（８）  装置間で動画データを送受信するために予め定められたデータ構造に従って動画期間およびブランキング期間を１フレームのデータ構造ごとに含むビデオストリームと前記動画データに関連する関連データを含む関連データストリームとに基づいて、前記関連データを格納するための所定のサイズの追加ブランキング期間を前記ビデオストリームの１フレームごとに追加したデータ構造の多重化ストリームを生成するストリーム生成部と、前記生成された多重化ストリームを他の集積回路へ送信する送信部とを備える第１集積回路と、
前記送信された多重化ストリームから前記動画データおよび前記関連データを分離する分離部と、前記分離された動画データを画像処理する画像処理部と、前記分離された関連データを信号処理する関連データ処理部とを備える第２集積回路と
を具備する情報処理装置。
【符号の説明】
【０１９９】
１００  情報処理装置
２００  インターフェース基板
２１０  ビデオストリーム変換部
２２０  オーディオストリーム変換部
２３０  付随データストリーム変換部
２４０  ベースバンドクロック生成部
２５０  ストリームクロック生成部
２６０  機器内伝送クロック生成部
２７０  ストリーム送信部
２７１  ビット幅変換部
２７２  ストリーム出力部
２７３  クロック出力部
３００  機器内伝送ストリーム生成部
３１０  ビデオデータ分離部
３２０  ＴＲＳ解析部
３３０  ビデオデータバッファ
３４０  オーディオデータバッファ
３４５  オーディオデータパケット生成部
３５０  付随データバッファ
３５５  付随データパケット生成部
３６０  制御部
３７０  制御パケット生成部
３８０  ＴＲＳ生成部
３８５  ブランク生成部
３９０  ストリーム生成部
４００  信号処理回路基板
４１０  ストリーム受信部
４１１  ストリーム入力部
４１２  ビット幅変換部
４１３  クロック入力部
４２０  機器内伝送ストリーム分離部
４２１  ストリーム情報解析部
４２２  ストリーム分離部
４２３  ビデオストリーム生成部
４２４  オーディオストリーム生成部
４２５  付随データストリーム生成部
４２６  ビデオクロック生成部
４４０  ビデオプロセッサ
４５０  オーディオプロセッサ
４６０  システムコントローラ
【図１】
2013042275.tif 000003
【図２】
2013042275.tif 000004
【図３】
2013042275.tif 000005
【図４】
2013042275.tif 000006
【図５】
2013042275.tif 000007
【図６】
2013042275.tif 000008
【図７】
2013042275.tif 000009
【図８】
2013042275.tif 000010
【図９】
2013042275.tif 000011
【図１０】
2013042275.tif 000012
【図１１】
2013042275.tif 000013
【図１２】
2013042275.tif 000014
【図１３】
2013042275.tif 000015
【図１４】
2013042275.tif 000016
【図１５】
2013042275.tif 000017